(57)【特許請求の範囲】
【請求項１】
基台と、この基台上に、一方向に移動可能に設けられたベースと、基板が装着され、この基板を前記ベース上に固定する基板支持具と、前記基台に装着され、前記ベース上に固定された基板の分割を行う切断機構と、前記基台に設けられ、前記ベースの移動を行うとともに、前記切断機構を前記ベースの移動方向と直交する２次元方向に移動させる駆動機構とを備えた基板分割装置であって、前記ベースが、前記基台と対向させられたベースプレートと、このベースプレートの両側部に立設され、前記基板支持具が載置される一対のサイドプレートとによって構成され、これらのサイドプレートと前記基板支持具との間に、両者の相対位置を規制する位置決め機構が設けられていることを特徴とする基板分割装置。
【請求項２】
前記切断機構が、前記基板にその上方から当接させられることによりこの基板の切断をなす切断刃が設けられているとともに、この切断刃に対向配置された集塵ダクトとを備え、かつ、この集塵ダクトが、前記ベースの移動に伴って、このベースの内側に挿入されて、前記基板の下面に対向させられるようになされていることを特徴とする請求項１に記載の基板分割装置。
【請求項３】
前記集塵ダクトの吸引口が、前記サイドプレートの間隔とほぼ同等の幅を備えていることを特徴とする請求項２に記載の基板分割装置。
【請求項４】
前記位置決め機構が、前記ベースの各サイドプレートの上部に突設された複数の位置決めピンと、前記基板支持具に穿設され、前記位置決めピンが嵌合させられる位置決め孔とによって構成されていることを特徴とする請求項１ないし請求項３のいずれかに記載の基板分割装置。
【請求項５】
前記位置決め機構が、前記一方のサイドプレートの上部の両端部に突設された一対の位置決めピンと、前記他方のサイドプレートの上部の一端部に設けられた位置決めピンと、前記他方のサイドプレートの上部の他端部に設けられた誤装着防止ピンと、前記基板支持具に穿設され、前記各位置決めピンと嵌合させられる３つの位置決め孔と、前記基板支持具に形成され、前記各位置決めピンと位置決め孔とを嵌合させた状態において、前記誤装着防止ピンとの干渉を回避する切り欠きとからなり、前記誤装着防止ピンが、前記位置決め孔よりも大径となされていることを特徴とする請求項１ないし請求項３のいずれかに記載の基板分割装置。
【発明の詳細な説明】
【０００１】
【発明の属する技術分野】
本発明は、電子部品が実装された基板を分割する際に用いられる基板分割装置に関するものである。
【０００２】
【従来の技術】
従来、この種の基板分割装置として、図７および図８に示す構造のものが知られている。
図中、符号１で示す基板分割装置は、基台２と、この基台２上に、一方向に移動可能に設けられたベース３と、基板（図示略）が装着され、この基板を前記ベース３上に固定する基板支持具４（図８参照）と、前記基台２に装着され、前記ベース３上に固定された基板の分割を行う切断機構５と、前記基台２に設けられ、前記ベース３の移動を行うとともに、前記切断機構５を前記ベース３の移動方向（図７におけるＹ方向）と直交する２次元方向（図７におけるＸ方向およびＺ方向）に移動させる駆動機構６とを備えた構成となっている。
【０００３】
そして、前記ベース３は、前記駆動機構６に連結された可動プレート７を備え、この可動プレート７には、基板の切断パターンに沿った貫通孔８が多数形成されている。
【０００４】
この基板分割装置１によって基板の分割を行うには、まず、前記基板支持具４上に基板を装着した後に、この基板支持具４を図８に示すように可動プレート７上に固定し、この可動プレート７および切断機構５を駆動機構６によって駆動することにより、前記切断機構５によって前記可動プレート７上の基板を分割するようにしている。
【０００５】
【発明が解決しようとする課題】
ところで、基板を分割する場合、この基板の種類に応じてその分割パターンが異なるのが一般的であるが、前述した従来の基板分割装置にあっては、基台２に装着された可動プレート７に、前記基板の分割パターンに対応した貫通孔８が形成されていることから、分割パターンが変更された場合、この分割パターンに合わせて前記可動プレート７も交換する必要があるといった問題点がある。
【０００６】
そして、このような問題点は、作業の煩雑化を招くばかりでなく、加工コストの高騰の原因ともなる。
【０００７】
本発明は、このような従来の問題点に鑑みてなされたもので、基板の分割パターンの変更に際して、交換すべき部品を極力少なくすることの可能な基板分割装置を提供することを目的とする。
【０００８】
【課題を解決するための手段】
本発明の請求項１に記載の基板分割装置は、基台と、この基台上に、一方向に移動可能に設けられたベースと、基板が装着され、この基板を前記ベース上に固定する基板支持具と、前記基台に装着され、前記ベース上に固定された基板の分割を行う切断機構と、前記基台に設けられ、前記ベースの移動を行うとともに、前記切断機構を前記ベースの移動方向と直交する２次元方向に移動させる駆動機構とを備えた基板分割装置であって、前記ベースが、前記基台と対向させられたベースプレートと、このベースプレートの両側部に立設され、前記基板支持具が載置される一対のサイドプレートとによって構成され、これらのサイドプレートと前記基板支持具との間に、両者の相対位置を規制する位置決め機構が設けられていることを特徴とする。
本発明の請求項２に記載の基板分割装置は、請求項１に記載の前記切断機構が、前記基板にその上方から当接させられることによりこの基板の切断をなす切断刃が設けられているとともに、この切断刃に対向配置された集塵ダクトとを備え、かつ、この集塵ダクトが、前記ベースの移動に伴って、このベースの内側に挿入されて、前記基板の下面に対向させられるようになされていることを特徴とする。
本発明の請求項３に記載の基板分割装置は、請求項２に記載の前記集塵ダクトの吸引口が、前記サイドプレートの間隔とほぼ同等の幅を備えていることを特徴とする。
本発明の請求項４に記載の基板分割装置は、請求項１ないし請求項３のいずれかに記載の前記位置決め機構が、前記ベースの各サイドプレートの上部に突設された複数の位置決めピンと、前記基板支持具に穿設され、前記位置決めピンが嵌合させられる位置決め孔とによって構成されていることを特徴とする。
本発明の請求項５に記載の基板分割装置は、請求項１ないし請求項３のいずれかに記載の前記位置決め機構が、前記一方のサイドプレートの上部の両端部に突設された一対の位置決めピンと、前記他方のサイドプレートの上部の一端部に設けられた位置決めピンと、前記他方のサイドプレートの上部の他端部に設けられた誤装着防止ピンと、前記基板支持具に穿設され、前記各位置決めピンと嵌合させられる３つの位置決め孔と、前記基板支持具に形成され、前記各位置決めピンと位置決め孔とを嵌合させた状態において、前記誤装着防止ピンとの干渉を回避する切り欠きとからなり、前記誤装着防止ピンが、前記位置決め孔よりも大径となされていることを特徴とする。
【０００９】
【発明の実施の形態】
以下、本発明の一実施形態を、図１ないし図４に基づき説明する。
図１において符号１０は、本実施形態に係わる基板分割装置を示し、この基板分割装置１０は、基台１１と、この基台１１上に、一方向に移動可能に設けられたベース１２と、基板（図示略）が装着され、この基板を前記ベース１２上に固定する基板支持具１３と、前記基台１１に装着され、前記ベース１２上に固定された基板の分割を行う切断機構１４と、前記基台１１に設けられ、前記ベース１２の移動を行うとともに、前記切断機構１４を前記ベース１２の移動方向（図１中のＹ方向）と直交する２次元方向（図１中のＸおよびＺ方向）に移動させる駆動機構１５とを備え、前記ベース１２が、前記基台１１と対向させられたベースプレート１６と、このベースプレート１６の両側部に立設され、前記基板支持具１３が載置される一対のサイドプレート１７とによって構成され、これらのサイドプレート１７と前記基板支持具１３との間に、両者の相対位置を規制する位置決め機構１８が設けられた概略構成となっている。
したがって、前記ベース１２は、その移動方向の前後および上方が開放された形状となされている。
【００１０】
さらに詳述すれば、前記切断機構１４は、基板にその上方から当接させられることによりこの基板の切断をなす切断刃１９が設けられているとともに、この切断刃１９に対向配置された集塵ダクト２０とを備え、かつ、この集塵ダクト２０が、前記ベース１２の移動に伴って、このベース１２の内側に挿入されて、前記基板の下面に対向させられるようになされている。
【００１１】
また、前記集塵ダクト２０の吸引口２０ａが、前記サイドプレート１７の間隔とほぼ同等の幅に形成されている。
【００１２】
前記位置決め機構１８は、本実施形態においては、前記ベース１２の各サイドプレート１７の上部に突設された複数の位置決めピン２１と、前記基板支持具１３に穿設され、前記位置決めピン２１が嵌合させられる位置決め孔２２（図４参照）とによって構成されている。
【００１３】
また、図４に示すように、前記基板支持具１３は矩形の平板状に形成されており、その上面には、基板が装着される装着溝１３ａが形成されているとともに、この装着溝１３ａに連通し、基板支持具１３の裏面側に貫通する貫通孔１３ｂが多数形成されている。
この貫通孔１３ｂは、基板の切断時に発生する切り屑等を、基板支持具１３の下方に排出するために設けられている。
【００１４】
また、前記基板支持具１３には、図２に示すように、その上面を覆うようにして係止プレート２３が着脱可能に取り付けられるようになっており、この係止プレート２３は、前記基板支持具１３上に載置される基板を、前記基板支持具１３との間で挟持して、前記基板を固定するものである。
そして、前記係止プレート２３には、前記基板支持具１３に形成された装着溝１３ａと略同一形状となされた貫通孔２３ａが形成されており、この貫通孔２３ａを介して前記切断機構１４の切断刃１９が、前記基板へ当接させられるようになっている。
【００１５】
このように構成された本実施形態に係る基板分割装置１０にあっては、基板支持具１３上に基板を位置合わせしつつ載置した後に、前記基板支持具１３に係止プレート２３を取り付けて、前記基板を固定する。
【００１６】
ついで、前記基板支持具１３をベース１２に、このベース１２に突設された位置決めピン２１を、前記基板支持具１３に形成されている位置決め孔２２に嵌合させつつ載置する。
これによって、基板支持具１３がベース１２に対して定位置に取り付けられる。
【００１７】
これより、駆動機構１５を起動して、ベース１２や切断機構１４を移動させることにより、その切断刃１９を基板の切断すべき位置に位置合わせするとともに、係止プレート２３の貫通孔２３ａを通して基板へ当接させることにより、この基板の分割を行う。
そして、その分割パターンは、駆動機構１５の駆動を制御するコントロールユニットに予めプログラムとして記憶されている。
【００１８】
そして、前述した分割操作に際して、前記切断刃１９と集塵ダクト２０の吸引口２０ａが、前記基板を挟んで対向させられており、したがって、分割操作によって発生した切り屑等が、前記装着溝１３ａに連通させられている貫通孔１３ｂから集塵ダクト２０へ吸引回収される。
【００１９】
一方、分割パターンを変更する必要が生じた場合には、他の異なる基板支持具１３に基板を装着するとともに係止プレート２３によって固定した後に、この基板支持具１３をベース１２に取り付けることにより、分割パターンの変更に対応することができる。
【００２０】
したがって、このような分割パターンの変更に際し、ベース１２を取り換える必要がなくなり、この結果、変更作業が簡便なものとなるとともに、交換部品の点数を少なくして加工コストの低減を図ることができる。
【００２１】
なお、前記実施形態において示した各構成部材の諸形状や寸法等は一例であって、設計要求等に基づき種々変更可能である。
【００２２】
たとえば、図５および図６に示すように、位置決め機構２４を、前記一方のサイドプレート１７の上部の両端部に突設された一対の位置決めピン２１と、前記他方のサイドプレート１７の上部の一端部に設けられた位置決めピン２１と、前記他方のサイドプレート１７の上部の他端部に設けられた誤装着防止ピン２５と、基板支持具２６に穿設され、前記各位置決めピン２１と嵌合させられる３つの位置決め孔２２と、前記基板支持具２６に形成され、前記各位置決めピン２１と位置決め孔２２とを嵌合させた状態において、前記誤装着防止ピン２５との干渉を回避する切り欠き２７とによって構成し、さらに、前記誤装着防止ピン２５の外径を、前記位置決め孔２２よりも大径とすることによって構成することも可能である。
【００２３】
このような構成とすることにより、前記基板支持具２６を、ベース１２に対して、図６における上下を反転した状態で装着しようとした場合、前記基板支持具２６の、前記誤装着防止ピン２５と対向する部分がこの誤装着防止ピン２５によって押し上げられて、基板支持具２６のベース１２への装着が防止される。
このような構成とすることによって、基板を誤ったパターンで分割することを防止することができる。
【００２４】
【発明の効果】
本発明は以上のように構成されているので、分割パターンを変更する必要が生じた場合に、他の異なる基板支持具に基板を装着した後に、この基板支持具をベースに取り付けることにより、分割パターンの変更に対応することができる。
したがって、このような分割パターンの変更に際し、ベースを取り換える必要がなくなり、この結果、変更作業を簡便なものとするとともに、交換部品の点数を少なくして加工コストの低減を図ることができる。
【図面の簡単な説明】
【図１】本発明の一実施形態を示す外観斜視図である。
【図２】本発明の一実施形態を示すもので、要部の拡大斜視図である。
【図３】本発明の一実施形態を示すもので、要部の拡大斜視図である。
【図４】本発明の一実施形態を示すもので、基板支持具の平面図である。
【図５】本発明の他の実施形態を示すもので、要部の拡大斜視図である。
【図６】本発明の他の実施形態を示すもので、基板支持具の平面図である。
【図７】一従来例を示す外観斜視図である。
【図８】一従来例のベースを示すもので，（ａ）は平面図、（ｂ）は側面図、（ｃ）は正面図である。
【符号の説明】
１  基板分割装置
２  基台
３  ベース
４  基板支持具
５  切断機構
６  駆動機構
７  可動プレート
８  貫通孔
１０  基板分割装置
１１  基台
１２  ベース
１３  基板支持具
１３ａ  装着溝
１３ｂ  貫通孔
１４  切断機構
１５  駆動機構
１６  ベースプレート
１７  サイドプレート
１８  位置決め機構
１９  切断刃
２０  集塵ダクト
２０ａ  吸引口
２１  位置決めピン
２２  位置決め孔
２３  係止プレート
２３ａ  貫通孔
２４  位置決め機構
２５  誤装着防止ピン
２６  基板支持具
２７  切り欠き
【図１】
0003586613.tif 000002
【図２】
0003586613.tif 000003
【図３】
0003586613.tif 000004
【図４】
0003586613.tif 000005
【図５】
0003586613.tif 000006
【図６】
0003586613.tif 000007
【図７】
0003586613.tif 000008
【図８】
0003586613.tif 000009